(57)【要約】      （修正有）【課題】通信エリア内に基地局を含めて複数台の送信機が存在する特定小電力無線局の無線設備において、簡単な手法により、各送信機をあらかじめ設定した順序で動作させる。【解決手段】隣接する２つの局が相互に交信可能となるように基地局１に対して各中継局２a〜２nが無線にて連続的につなげられ、各局１，２a〜２nに基地局１を始端（上流）とする並び順を意味する識別子ＩＤを付与するとともに、各局１，２a〜２nにキャリアセンスＬｏｗ時点から送信開始までの待ち時間ＷＴをそれぞれ割り当て、子機３に対する発呼時には、基地局１より子機３宛ての発呼信号に自局の識別子ＩＤを付して送信し、その発呼信号を受信した並び順で次順位（下流側）の中継局は発呼信号に自局の識別子ＩＤを付け替えて送信し、これを下流側の末端２nの中継局まで行い、子機３からのアンサー信号の返送時には、発呼時とは逆の方向で同様に行う。【選択図】図１
2010098346.tif 000002
【特許請求の範囲】
【請求項１】
１台の基地局と、複数台の中継局と、上記基地局および上記各中継局によりカバーされる通信エリア内に存在する複数台の子機とを含み、上記基地局からの特定の上記子機に対する発呼信号が上記中継局を介して上記子機に送信され、上記子機からのアンサー信号が上記中継局を介して上記基地局に返送される特定小電力無線局の無線設備におけるデータ伝送方法において、
隣接する２つの局が相互に交信可能となるように上記基地局に対して上記各中継局が無線にて連続的につなげられ、上記基地局を含めて上記各中継局に、上記基地局を始端（上流）とする並び順を意味する識別子を付与するとともに、上記基地局および上記各中継局にキャリアセンスＬｏｗ時点から送信開始までの待ち時間をそれぞれ割り当て、上記基地局および上記各中継局は、上記キャリアセンスＬｏｗ後で上記各局に割り当てられた所定の待ち時間後に送信を開始するようにし、
上記子機に対する発呼時には、上記基地局より上記子機宛ての発呼信号に自局の識別子を付して送信し、上記発呼信号を受信した並び順で次順位（下流側）の上記中継局は上記発呼信号に自局の識別子を付け替えて送信し、これを下流側の末端の中継局まで行い、
上記発呼信号を受信した上記子機からアンサー信号が送信され、そのアンサー信号がいずれかの局で受信され、
上記アンサー信号の返送時には、上記発呼時とは逆に、上記末端中継局から上記アンサー信号の受信の有無を意味するアンサー有無信号に自局の識別子を付して送信し、上記アンサー有無信号を受信した並び順で上流側の上記中継局は上記アンサー有無信号に自局の識別子を付け替えて送信し、これを上記基地局に至るまで行うことを特徴とする特定小電力無線局の無線設備におけるデータ伝送方法。
【請求項２】
上記子機に対する発呼時において、隣接する２つの局のうち並び順で上流側の局は下流側の局から送信される電波を無視することを特徴とする請求項１に記載の特定小電力無線局の無線設備におけるデータ伝送方法。
【請求項３】
上記アンサー信号の返送時において、隣接する２つの局のうち並び順で下流側の局は上流側の局から送信される電波を無視することを特徴とする請求項１に記載の特定小電力無線局の無線設備におけるデータ伝送方法。
【請求項４】
上記子機に対する発呼時において、上記各局に割り当てられる待ち時間は上流から下流に行くにしたがって漸次長くされることを特徴とする請求項１ないし３のいずれか１項に記載の特定小電力無線局の無線設備におけるデータ伝送方法。
【請求項５】
上記アンサー信号の返送時において、上記各局に割り当てられる待ち時間は下流から上流に行くにしたがって漸次長くされることを特徴とする請求項１ないし３のいずれか１項に記載の特定小電力無線局の無線設備におけるデータ伝送方法。
【請求項６】
上記各子機には、上記各局に割り当てられた所定の待ち時間の積算時間以上とされたアンサー信号送信待ち時間が設定され、上記発呼信号を受信した上記子機は、上記アンサー信号送信待ち時間の経過後に、上記アンサー信号を送信することを特徴とする請求項１ないし５のいずれか１項に記載の特定小電力無線局の無線設備におけるデータ伝送方法。
【発明の詳細な説明】
【技術分野】
【０００１】
本発明は、特定小電力無線局の無線設備におけるデータ伝送方法に関し、さらに詳しく言えば、基地局から送信される電波を中継局（中継送信機）で中継して通信エリアを広げる際に好適なデータ伝送方法に関するものである。
【背景技術】
【０００２】
特定小電力無線局では電波の出力ワット数が限られているため、通信エリアを広げるには、基地局から送信される電波を中継局（中継送信機）で中継するようにしている。
【０００３】
この場合には、通信エリア内に基地局を含めて複数台の送信機（受信機能を有する送信機）が存在することになるが、特定小電力無線局の無線設備の規格として、１台の送信機が送信状態にあり、その他の送信機が同一周波数の電波を受信している場合（キャリアセンスがＨｉｇｈの場合）には、その他の送信機は電波を送信することができない。
【０００４】
したがって、送信バッファに送信データがある送信機は、同一周波数の電波が出ていないキャリアセンスがＬｏｗのときに電波の送信を行う。
【０００５】
従来では、キャリアセンスがＬｏｗになった瞬間に、送信バッファに送信データがある各送信機はそれぞれ勝手に送信し始めるが、送信できるのはもっとも早く送信を開始した１台だけである。
【０００６】
そのため、各送信機の通信順序は、設計者が当初意図した通信順序で行われない場合があるばかりでなく、他の送信機が送信状態にあるため、電波を送信できず送信待ちの状態にある送信機が多数出てきて時間の遅延が発生するという問題がある。
【０００７】
なお、例えば特許文献１ないし３には、送信データの衝突防止、送信要求度に応じた優先順位付け、データの混線防止に関する発明が記載されているが、いずれも特定小電力無線局の無線設備には適用が困難である。
【０００８】
【特許文献１】特開平０８−７０３０７号公報
【特許文献２】特開平０９−４６３４７号公報
【特許文献３】特開平０９−１８７０７６号公報
【発明の開示】
【発明が解決しようとする課題】
【０００９】
したがって、本発明の課題は、通信エリア内に基地局を含めて複数台の送信機が存在する特定小電力無線局の無線設備において、簡単な手法により、各送信機をあらかじめ設定した順序で動作させることにある。
【課題を解決するための手段】
【００１０】
上記課題を解決するため、請求項１に記載の発明は、１台の基地局と、複数台の中継局と、上記基地局および上記各中継局によりカバーされる通信エリア内に存在する複数台の子機とを含み、上記基地局からの特定の上記子機に対する発呼信号が上記中継局を介して上記子機に送信され、上記子機からのアンサー信号が上記中継局を介して上記基地局に返送される特定小電力無線局の無線設備におけるデータ伝送方法において、隣接する２つの局が相互に交信可能となるように上記基地局に対して上記各中継局が無線にて連続的につなげられ、上記基地局を含めて上記各中継局に、上記基地局を始端（上流）とする並び順を意味する識別子を付与するとともに、上記基地局および上記各中継局にキャリアセンスＬｏｗ時点から送信開始までの待ち時間をそれぞれ割り当て、上記基地局および上記各中継局は、上記キャリアセンスＬｏｗ後で上記各局に割り当てられた所定の待ち時間後に送信を開始するようにし、上記子機に対する発呼時には、上記基地局より上記子機宛ての発呼信号に自局の識別子を付して送信し、上記発呼信号を受信した並び順で次順位（下流側）の上記中継局は上記発呼信号に自局の識別子を付け替えて送信し、これを下流側の末端の中継局まで行い、上記発呼信号を受信した上記子機からアンサー信号が送信され、そのアンサー信号がいずれかの局で受信され、上記アンサー信号の返送時には、上記発呼時とは逆に、上記末端中継局から上記アンサー信号の受信の有無を意味するアンサー有無信号に自局の識別子を付して送信し、上記アンサー有無信号を受信した並び順で上流側の上記中継局は上記アンサー有無信号に自局の識別子を付け替えて送信し、これを上記基地局に至るまで行うことを特徴としている。
【００１１】
請求項２に記載の発明は、請求項１において、上記子機に対する発呼時において、隣接する２つの局のうち並び順で上流側の局は下流側の局から送信される電波を無視することを特徴としている。
【００１２】
請求項３に記載の発明は、請求項１において、上記アンサー信号の返送時において、隣接する２つの局のうち並び順で下流側の局は上流側の局から送信される電波を無視することを特徴としている。
【００１３】
請求項４に記載の発明は、請求項１ないし３のいずれか１項において、上記子機に対する発呼時において、上記各局に割り当てられる待ち時間は上流から下流に行くにしたがって漸次長くされることを特徴としている。
【００１４】
請求項５に記載の発明は、請求項１ないし３のいずれか１項において、上記アンサー信号の返送時において、上記各局に割り当てられる待ち時間は下流から上流に行くにしたがって漸次長くされることを特徴としている。
【００１５】
請求項６に記載の発明は、請求項１ないし５のいずれか１項において、上記各子機には、上記各局に割り当てられた所定の待ち時間の積算時間以上とされたアンサー信号送信待ち時間が設定され、上記発呼信号を受信した上記子機は、上記アンサー信号送信待ち時間の経過後に、上記アンサー信号を送信することを特徴としている。
【発明の効果】
【００１６】
請求項１に記載の発明によれば、隣接する２つの局が相互に交信可能となるように基地局に対して各中継局が無線にて連続的につなげられ、基地局を含めて各中継局に、基地局を始端（上流）とする並び順を意味する識別子を付与するとともに、基地局および各中継局にキャリアセンスＬｏｗ時点から送信開始までの待ち時間をそれぞれ割り当て、基地局および各中継局は、キャリアセンスＬｏｗ後で各局に割り当てられた所定の待ち時間後に送信を開始するようにし、子機に対する発呼時には、基地局より子機宛ての発呼信号に自局の識別子を付して送信し、その発呼信号を受信した並び順で次順位（下流側）の中継局は発呼信号に自局の識別子を付け替えて送信し、これを下流側の末端の中継局まで行い、発呼信号を受信した子機からアンサー信号が送信され、そのアンサー信号がいずれかの局で受信され、アンサー信号の返送時には、発呼時とは逆に、末端中継局からアンサー信号の受信の有無を意味するアンサー有無信号に自局の識別子を付して送信し、アンサー有無信号を受信した並び順で上流側の中継局はアンサー有無信号に自局の識別子を付け替えて送信し、これを基地局に至るまで行うようにしたことにより、各送信機をあらかじめ設定した順序で動作させることができ、ある送信機がいつまで待っても電波を送信できないことによる処理時間の遅延が解消される。
【００１７】
請求項２に記載の発明によれば、子機に対する発呼時において、隣接する２つの局のうち並び順で上流側の局は下流側の局から送信される電波を無視するようにしたことにより、確実に発呼信号を基地局から末端の中継局にまで伝達することができる。
【００１８】
請求項３に記載の発明によれば、アンサー信号の返送時において、隣接する２つの局のうち並び順で下流側の局は上流側の局から送信される電波を無視するようにしたことにより、確実にアンサー信号を末端の中継局から基地局にまで伝達することができる。
【００１９】
請求項４に記載の発明によれば、子機に対する発呼時において、各局に割り当てられる待ち時間は上流から下流に行くにしたがって漸次長くすることにより、キャリアセンスＬｏｗの状態で各局から電波を確実に送出させることができる。
【００２０】
請求項５に記載の発明によれば、アンサー信号の返送時において、各局に割り当てられる待ち時間は下流から上流に行くにしたがって漸次長くすることにより、請求項４と同じく、キャリアセンスＬｏｗの状態で各局から電波を確実に送出させることができる。
【００２１】
請求項６に記載の発明によれば、各子機には、各局に割り当てられた所定の待ち時間の積算時間以上とされたアンサー信号送信待ち時間を設定し、発呼信号を受信した子機は、アンサー信号送信待ち時間の経過後にアンサー信号を送信するようにしたことにより、中継局にてアンサー信号を確実に受信することができる。
【発明を実施するための最良の形態】
【００２２】
次に、図１ないし図４により、本発明の実施形態について説明するが、本発明はこれに限定されるものではない。図１は本発明が適用される特定小電力無線局の無線設備のレイアウトを示す模式図、図２は特定子機に対する発呼時の動作を説明するための模式図、図３はアンサー信号の返送時の動作を説明するための模式図、図４は各局の送信動作を示すタイミングチャートである。
【００２３】
まず、図１により、本発明が適用される特定小電力無線局の無線設備のレイアウトについて説明する。この無線設備には、１台の基地局１と、複数台の中継局２（２ａ〜２ｎ）と、複数台の子機３とが含まれる。以下の説明において、各中継局２ａ〜２ｎを区別する必要がない場合には、総称として中継局２とする。
【００２４】
基地局１，中継局２および子機３は、それぞれ送信機能と受信機能とを備えている。基地局１は、図示しない制御部に接続される。制御部には、例えばパソコンが用いられてよく、基地局１に呼び出す子機を指定したり、子機からのアンサー信号等を表示する。この例において、基地局１と上記制御部は無線で接続されている。
【００２５】
特定小電力無線局の無線設備において、基地局１の出力ワット数は限られているため、中継局２にて通信エリアを広げる。
【００２６】
その広げ方には大別して、基地局１の周りに中継局２を配置して通信エリアを放射状に広げる方法と、基地局１を始端として、中継局２を数珠つなぎ状に配置して通信エリアを距離的に長くする方法とがあるが、本発明は、後者の中継局２を数珠つなぎ状とする場合に適用される。
【００２７】
すなわち、隣接する２つの局が相互に交信可能となるように基地局１に対して各中継局２が無線にて連続的につなげられる。
【００２８】
具体的には、図１に示すように、基地局１の通信エリアをＡ，第１中継局２ａの通信エリアをＢとすると、基地局１の通信エリアＡ内に第１中継局２ａのみが配置され、基地局１は第１中継局２ａの通信エリアＢ内に配置される。
【００２９】
第１中継局２ａの通信エリアＢ内に第２中継局２ｂが配置され、第２中継局２ｂの通信エリアＣ内に第１中継局２ａが配置される。なお、第１中継局２ａの通信エリアＢ内には、基地局１と第２中継局２ｂとが含まれるが、基地局１と第２中継局２ｂは、互いに電波が届かない。
【００３０】
また、第２中継局２ｂの通信エリアＣ内に第３中継局２ｃが配置され、第３中継局２ｃの通信エリアＤ内に第２中継局２ｂが配置される。この第２中継局２ｂの通信エリアＣ内にも、第１中継局２ａと第３中継局２ｃが含まれるが、第１中継局２ａと第３中継局２ｃは、互いに電波が届かない。以後同様にして、各中継局２ａ〜２ｎが連続的につなげられることになる。
【００３１】
この実施形態では、例えばテイクアウトの食品売り場で注文待ちの顧客を順番に呼び出したり、病院内の薬局で処方箋の薬の受け取りを待つ患者を順番に呼び出す場合を想定しており、子機３はその順番待ちの人達に携帯される。
【００３２】
基地局１から、特定の子機３を呼び出すにあたって、本発明では、基地局１および中継局２を含む各局１，２に対して、基地局１を始端（上流）とする並び順を意味する識別子（ＩＤ）を付与するとともに、各局１，２に対して、キャリアセンスＬｏｗ時点から送信開始までの待ち時間（ＷＴ）を割り当てる。識別子（ＩＤ）および待ち時間（ＷＴ）は、各局の例えばＲＯＭ（リードオンリーメモリ）に書き込まれる。
【００３３】
説明の便宜上、基地局１に対して５台の中継局２ａ〜２ｅがつなげられている場合について説明する。
【００３４】
図１に示すように、基地局１にはＩＤ０；ＷＴ０，第１中継局２ａにはＩＤ１；ＷＴ１，第２中継局２ｂにはＩＤ２；ＷＴ２，第３中継局２ｃにはＩＤ３；ＷＴ３，第４中継局２ｄにはＩＤ４；ＷＴ４，第５中継局２ｅにはＩＤ５；ＷＴ６がそれぞれ付与される。
【００３５】
各局１，２ａ〜２ｅは、電波を送信する際、自局の識別子（ＩＤ）を付加して送信する。これにより、その電波を受信した局は、送信元が自局よりも上流側の局であるか、下流側の局であるかを判別する。
【００３６】
各局１，２ａ〜２ｅに割り当てられる待ち時間（ＷＴ）は一定時間としてもよいが、この実施形態においては、好ましい態様として、図４のタイミングチャートに示すように、子機３の呼び出し時には、ＷＴ０（≒０秒）＜ＷＴ１＜ＷＴ２＜ＷＴ３＜ＷＴ４＜ＷＴ５とし、上流から下流に行くにしたがって待ち時間（ＷＴ）を長くするようにしている。
【００３７】
これに対して、後述する子機３からのアンサー信号の返送時には、逆に、下流の末端の第５中継局２ｅから上流の基地局１に行くにしたがって待ち時間（ＷＴ）を長くするようにしている。図４のタイミングチャートにおいて、アンサー信号の返送時における送信順序を括弧内に記す。
【００３８】
上記のように、各局に識別子（ＩＤ）と待ち時間（ＷＴ）とを設定したのち、通信エリア内に存在する機３のうちの特定の子機３ａを呼び出す場合について、図１，図２および図４を参照して説明する。
【００３９】
各子機３にもそれぞれ固有の識別子が付与されている。この子機呼び出し時には、各局１，２ａ〜２ｅは上流側の局から送信された発呼信号のみを受信し、下流側の局から送信された発呼信号は無視し受信しない。
【００４０】
図示しないパソコン等の制御部から基地局１に呼び出す子機３ａの識別子が入力されると、基地局１は、キャリアセンスをチェックし、キャリアセンスがＬｏｗになったのちの待ち時間ＷＴ０後に、子機３ａを呼び出す発呼信号に自局（基地局１）の識別子ＩＤ０を付加して送信する（ステップＳＡ１）。その送信範囲は通信エリアＡ内。
【００４１】
通信エリアＡ内には、第１中継局２ａが存在する。第１中継局２ａは、その発呼信号が上流側の基地局１から送信されたものであるため、発呼信号を受信し送信状態に入る。すなわち、キャリアセンスをチェックし、キャリアセンスがＬｏｗになったのちの待ち時間ＷＴ１後に、発呼信号に自局（第１中継局２ａ）の識別子ＩＤ１を付け替えて送信する（ステップＳＡ２）。その送信範囲は通信エリアＢ内。
【００４２】
通信エリアＢ内には、基地局１と第２中継局２ｂとが存在するが、基地局１は、下流側の第１中継局２ａから送信された発呼信号は無視し受信しない。
【００４３】
第２中継局２ｂは、その発呼信号が上流側の第１中継局２ａから送信されたものであるため、発呼信号を受信し送信状態となり、キャリアセンスをチェックし、キャリアセンスがＬｏｗになったのちの待ち時間ＷＴ２後に、発呼信号に自局（第２中継局２ｂ）の識別子ＩＤ２を付け替えて送信する（ステップＳＡ３）。その送信範囲は通信エリアＣ内。
【００４４】
通信エリアＣ内には、第１中継局２ａと第３中継局２ｃとが存在するが、第１中継局２ａは、下流側の第２中継局２ｂから送信された発呼信号は無視し受信しない。
【００４５】
第３中継局２ｃは、その発呼信号が上流側の第２中継局２ｂから送信されたものであるため、発呼信号を受信し送信状態となり、キャリアセンスをチェックし、キャリアセンスがＬｏｗになったのちの待ち時間ＷＴ３後に、発呼信号に自局（第３中継局２ｃ）の識別子ＩＤ３を付け替えて送信する（ステップＳＡ４）。その送信範囲は通信エリアＤ内。
【００４６】
通信エリアＤ内には、第２中継局２ｂと第４中継局２ｄとが存在するが、第２中継局２ｂは、下流側の第３中継局２ｃから送信された発呼信号は無視し受信しない。
【００４７】
第４中継局２ｄは、その発呼信号が上流側の第３中継局２ｃから送信されたものであるため、発呼信号を受信し送信状態となり、キャリアセンスをチェックし、キャリアセンスがＬｏｗになったのちの待ち時間ＷＴ４後に、発呼信号に自局（第４中継局２ｄ）の識別子ＩＤ４を付け替えて送信する（ステップＳＡ５）。その送信範囲は通信エリアＥ内。
【００４８】
通信エリアＥ内には、第３中継局２ｃと第５中継局２ｅとが存在するが、第３中継局２ｃは、下流側の第４中継局２ｄから送信された発呼信号は無視し受信しない。
【００４９】
第５中継局２ｅは、その発呼信号が上流側の第４中継局２ｄから送信されたものであるため、発呼信号を受信し送信状態となり、キャリアセンスをチェックし、キャリアセンスがＬｏｗになったのちの待ち時間ＷＴ５後に、発呼信号に自局（第５中継局２ｅ）の識別子ＩＤ５を付け替えて送信する（ステップＳＡ６）。その送信範囲は通信エリアＦ内。
【００５０】
このようにして、基地局１から送信された発呼信号が順次各中継局２ａ〜２ｅより送信され、いずれかの通信エリア内で子機３ａに着呼される。子機３ａから発呼信号に応答するアンサー信号が送信されるが、各子機３には、着呼からアンサー信号送信までの間、所定の待ち時間ＷＴｘがセットされている。
【００５１】
この実施形態において、待ち時間ＷＴｘは、上記各局１，２ａ〜２ｅに割り当てられた待ち時間の積算時間（ＷＴ０＋ＷＴ１＋ＷＴ２＋ＷＴ３＋ＷＴ４＋ＷＴ５）以上であり、これにより、末端の第５中継局２ｅでの送信終了後に、着呼があった子機３ａからアンサー信号が送信される。
【００５２】
次に、図１，図３および図４を参照して、アンサー信号の返送時について説明する。このアンサー信号の返送時における各局１，２ａ〜２ｅの待ち時間は、末端の第５中継局２ｅが最短のＷＴ０（＝ＷＴ５−ＷＴ５），第４中継局２ｄがＷＴ１（＝ＷＴ５−ＷＴ４），第３中継局２ｃがＷＴ２（＝ＷＴ５−ＷＴ３），第２中継局２ｂがＷＴ３（＝ＷＴ５−ＷＴ２），第１中継局２ａがＷＴ４（＝ＷＴ５−ＷＴ１），基地局１がＷＴ５（＝ＷＴ５−ＷＴ０）とされ、末端の第５中継局２ｅから上流の基地局１に行くにしたがって待ち時間（ＷＴ）を長くする。
【００５３】
また、このアンサー信号の返送時には、各局１，２ａ〜２ｅは下流側の局から送信された電波のみを受信し、上流側の局から送信された電波は無視し受信しない。この例において、子機３ａからのアンサー信号が第３中継局２ｃで受信されたものとする。
【００５４】
末端の第５中継局２ｅは、発呼信号の送信終了後、キャリアセンスをチェックし、キャリアセンスがＬｏｗになったのちの待ち時間ＷＴ０後に、アンサー無しの返送信号に自局（第５中継局２ｅ）の識別子ＩＤ５を付加して送信する（ステップＳＢ１）。その送信範囲は通信エリアＦ内。
【００５５】
通信エリアＦ内には、第４中継局２ｄが存在する。第４中継局２ｄは、その返送信号が下流側の第５中継局２ｅから送信されたものであるため、返送信号を受信し送信状態に入る。すなわち、キャリアセンスをチェックし、キャリアセンスがＬｏｗになったのちの待ち時間ＷＴ１後に、アンサー無しとした返送信号に自局（第４中継局２ｄ）の識別子ＩＤ４を付け替えて送信する（ステップＳＢ２）。その送信範囲は通信エリアＥ内。
【００５６】
通信エリアＥ内には、第３中継局２ｃと第５中継局２ｅとが存在するが、第５中継局２ｅは、上流側の第４中継局２ｄから送信された返送信号は無視し受信しない。
【００５７】
第３中継局２ｃは、その返送信号が下流側の第４中継局２ｄから送信されたものであるため、返送信号を受信し送信状態となる。第３中継局２ｃは、子機３ａからアンサー信号を受信しているため、キャリアセンスをチェックし、キャリアセンスがＬｏｗになったのちの待ち時間ＷＴ２後に、アンサー有りとした返送信号に自局（第３中継局２ｃ）の識別子ＩＤ３を付け替えて送信する（ステップＳＢ３）。その送信範囲は通信エリアＤ内。
【００５８】
通信エリアＤ内には、第２中継局２ｂと第４中継局２ｄとが存在するが、第４中継局２ｄは、上流側の第３中継局２ｃから送信された返送信号は無視し受信しない。
【００５９】
第２中継局２ｂは、その返送信号が下流側の第３中継局２ｃから送信されたものであるため、返送信号を受信し送信状態となり、キャリアセンスをチェックし、キャリアセンスがＬｏｗになったのちの待ち時間ＷＴ３後に、アンサー有りとした返送信号に自局（第２中継局２ｂ）の識別子ＩＤ２を付け替えて送信する（ステップＳＢ４）。その送信範囲は通信エリアＣ内。
【００６０】
通信エリアＣ内には、第１中継局２ａと第３中継局２ｃとが存在するが、第３中継局２ｃは、上流側の第２中継局２ｂから送信された返送信号は無視し受信しない。
【００６１】
第１中継局２ａは、その返送信号が下流側の第２中継局２ｂから送信されたものであるため、返送信号を受信し送信状態となり、キャリアセンスをチェックし、キャリアセンスがＬｏｗになったのちの待ち時間ＷＴ４後に、アンサー有りとした返送信号に自局（第１中継局２ａ）の識別子ＩＤ１を付け替えて送信する（ステップＳＢ５）。その送信範囲は通信エリアＢ内。
【００６２】
通信エリアＢ内には、基地局１と第２中継局２ｂとが存在するが、第２中継局２ｂは、上流側の第１中継局２ａから送信された返送信号は無視し受信しない。
【００６３】
基地局１は、その返送信号が下流側の第１中継局２ａから送信されたものであるため、返送信号を受信し送信状態となり、キャリアセンスをチェックし、キャリアセンスがＬｏｗになったのちの待ち時間ＷＴ５後に、アンサー有りとした返送信号に自局（基地局１）の識別子ＩＤ０を付け替えて送信する（ステップＳＢ６）。その送信範囲は通信エリアＡ内。
【００６４】
基地局１から送信された返送信号（アンサー有り）は、通信エリアＡ内の上記制御部にて受信される。なお、基地局１と制御部は有線にて接続されてもよい。その場合には、図３におけるステップＳＢ６は省略される。
【００６５】
このようにして、本発明によれば、各中継局２における識別子ＩＤの判別と、各中継局２の送信タイミングをずらすことにより、各中継局（送信機）２をあらかじめ設定した順序で動作させることができ、ある送信機がいつまで待っても電波を送信できないことによる処理時間の遅延が解消される。
【図面の簡単な説明】
【００６６】
【図１】本発明が適用される特定小電力無線局の無線設備のレイアウトを示す模式図。
【図２】特定の子機に対する発呼時の動作を説明するための模式図。
【図３】アンサー信号の返送時の動作を説明するための模式図。
【図４】各局の送信動作を示すタイミングチャート。
【符号の説明】
【００６７】
１  基地局
２（２ａ〜２ｎ）  中継局
３  子機
Ａ〜Ｆ  通信エリア
ＩＤ  識別子
ＷＴ  送信の待ち時間
【図１】
2010098346.tif 000003
【図２】
2010098346.tif 000004
【図３】
2010098346.tif 000005
【図４】
2010098346.tif 000006